(57)【要約】      （修正有）【課題】保管スペースを取らず、直ちに箱に組み立てできる装身具収納箱を提供する。【解決手段】前掛け面１と、上蓋面２と、後面３と、底面４と、前面５と、からなり、各面間に折り目が設けられた矩形板状の本体片６と、側部２０と糊代部と両側の角部１０とからなり、各部の間に折り目が設けられ、角部の起点１４から斜めに伸びる折り目が設けられ、後面に一方の角部１０の斜め半分が接着され、前面に他方の角部１０の斜め半分が接着され、底面４に糊代部が接着される左側面片７と、底面に糊代部が接着される右側面片８と、前掛け面１と前面５に設けられた磁気部材１２と、を備え、本体片６の折り目には、補強シートが設けられ、上蓋面２には、透明な窓１３が設けられる。【選択図】図３
0003214493.tif 000002
【実用新案登録請求の範囲】
【請求項１】
一側から順に、前掛け面（１）と、上蓋面（２）と、後面（３）と、底面（４）と、前面（５）と、で構成され、各面間に折り目（９ａ〜９ｄ）が設けられた矩形板状の本体片（６）と、
側部（２０）と糊代部（１１）と両端の角部（１０、１０）とからなり、各部の間に折り目（９ｆ、９ｆ、９ｇ）が設けられ、両端の角部の起点（１４、１４）から斜めに伸びる折り目（９ｅ、９ｅ）が設けられ、前記後面（３）に一方の角部（１０）の接着部（１０ａ）が接着され、前記前面（５）に他方の角部（１０）の接着部（１０ａ）が接着され、前記底面（４）に糊代部（１１）が折り返して接着される左側面片（７）と、
側部（２０）と糊代部（１１）と両端の角部（１０、１０）とからなり、各部の間に折り目（９ｆ、９ｆ、９ｇ）が設けられ、両端の角部（１０、１０）の起点（１４、１４）から斜めに伸びる折り目（９ｅ、９ｅ）が設けられ、前記後面（３）に一方の角部（１０）の接着部（１０ａ）が接着され、前記前面（５）に他方の角部（１０）の接着部（１０ａ）が接着され、前記底面（４）に糊代部（１１）が折り返して接着される右側面片（８）と、
前記前掛け面（１）と前記前面（５）に設けられ、前記前掛け面（１）と前記前面（５）を互いに吸着させる磁気部材（１２、１２）と、
が備えられ、
前記本体片（６）の各面間の折り目（９ａ〜９ｄ）には、補強シート（２１）が設けられ、前記上蓋面（２）には、透明な窓（１３）が設けられ、前記左側面片（７）と前記右側面片（８）が、前記本体片（６）に接着された状態で保管され、前記後面（３）、前記前面（５）、前記左側面片（７）及び前記右側面片（８）を立て、前記上蓋面（２）と前記前掛け面（１）を前方側に折り曲げて箱体とすることを特徴とする装身具収納箱。
【請求項２】
前記左側面片（７）又は前記右側面片（８）に、ポケット（１５）が設けられることを特徴とする請求項１に記載の装身具収納箱。
【請求項３】
一側から順に、後綴じ面（１６）と、後面（３）と、底面（４）と、前面（５）と、前綴じ面（１７）と、で構成され、各面間に折り目（９ａ〜９ｄ）が設けられた矩形板状の本体片（６）と、
側部（２０）と糊代部（１１）と両端の角部（１０、１０）とからなり、各部の間に折り目（９ｆ、９ｆ、９ｇ）が設けられ、両端の角部の起点（１４、１４）から斜めに伸びる折り目（９ｅ、９ｅ）が設けられ、前記後面（３）に一方の角部（１０）の接着部（１０ａ）が接着され、前記前面（５）に他方の角部（１０）の接着部（１０ａ）が接着され、前記底面（４）に糊代部（１１）が折り返して接着される左側面片（７）と、
側部（２０）と糊代部（１１）と両端の角部（１０、１０）とからなり、各部の間に折り目（９ｆ、９ｆ、９ｇ）が設けられ、両端の角部（１０、１０）の起点（１４、１４）から斜めに伸びる折り目（９ｅ、９ｅ）が設けられ、前記後面（３）に一方の角部（１０）の接着部（１０ａ）が接着され、前記前面（５）に他方の角部（１０）の接着部（１０ａ）が接着され、前記底面（４）に糊代部（１１）が折り返して接着される右側面片（８）と、
前記後綴じ面（１６）と前記後面（３）の左右方向中央部に設けられ、前記後綴じ面（１６）と前記後面（３）を互いに吸着させる磁気部材（１２、１２）と、
前記前綴じ面（１７）と前記前面（５）の左右方向中央部に設けられ、前記前綴じ面（１７）と前記前面（５）を互いに吸着させる磁気部材（１２、１２）と、
が備えられ、
前記左側面片（７）と前記右側面片（８）が、前記本体片（６）に接着された状態で保管され、前記後面（３）、前記前面（５）、前記左側面片（７）及び前記右側面片（８）を立てて、前記後綴じ面（１６）と前記後面（３）を前記磁気部材（１２、１２）で閉じ、前記前綴じ面（１７）と前記前面（５）を前記磁気部材（１２、１２）で閉じて蓋のない箱体が形成されることを特徴とする装身具収納箱。
【考案の詳細な説明】
【技術分野】
【０００１】
本考案は、装身具収納箱に係り、より詳しくは、保管スペースを取らず、直ちに箱に組み立てできる装身具収納箱に関する。
【背景技術】
【０００２】
特許文献１には、時計や装身具を収納する組立式個装箱が示される。この箱は、一枚の紙素材から構成され、箱に組み立てる場合、上蓋の凸片を前方上部に設けられた差込口に挿入して閉じる。そのため、凸片が湾曲したような場合は、細長い差込口に舌片を挿入することが容易ではない。また、一枚の用紙から略十字形の箱の展開形を切り出しているが、左右の腕の上下の部分は、切り捨てられるので無駄になりやすい。また、略四角状に折り畳んで保管するが、折り畳むと折り目が元に戻ろうとして、全体に膨らむので、保管箱に密に収納できない。
【先行技術文献】
【特許文献】
【０００３】
【特許文献１】特開平１１−２９２０５４号公報
【考案の概要】
【考案が解決しようとする課題】
【０００４】
本考案の目的は、保管スペースを取らず、直ちに組み立てでき、また、素材の無駄になる部分が少ない装身具収納箱を提供することにある。
【課題を解決するための手段】
【０００５】
本考案による装身具収納箱は、一側から順に、前掛け面（１）と、上蓋面（２）と、後面（３）と、底面（４）と、前面（５）と、で構成され、各面間に折り目（９ａ〜９ｄ）が設けられた矩形板状の本体片（６）と、側部（２０）と糊代部（１１）と両端の角部（１０、１０）とからなり、各部の間に折り目（９ｆ、９ｆ、９ｇ）が設けられ、両端の角部の起点（１４、１４）から斜めに伸びる折り目（９ｅ、９ｅ）が設けられ、前記後面（３）に一方の角部（１０）の接着部（１０ａ）が接着され、前記前面（５）に他方の角部（１０）の接着部（１０ａ）が接着され、前記底面（４）に糊代部（１１）が折り返して接着される左側面片（７）と、側部（２０）と糊代部（１１）と両端の角部（１０、１０）とからなり、各部の間に折り目（９ｆ、９ｆ、９ｇ）が設けられ、両端の角部（１０、１０）の起点（１４、１４）から斜めに伸びる折り目（９ｅ、９ｅ）が設けられ、前記後面（３）に一方の角部（１０）の接着部（１０ａ）が接着され、前記前面（５）に他方の角部（１０）の接着部（１０ａ）が接着され、前記底面（４）に糊代部（１１）が折り返して接着される右側面片（８）と、前記前掛け面（１）と前記前面（５）に設けられ、前記前掛け面（１）と前記前面（５）を互いに吸着させる磁気部材（１２、１２）と、が備えられ、前記本体片（６）の各面間の折り目（９ａ〜９ｄ）には、補強シート（２１）が設けられ、前記上蓋面（２）には、透明な窓（１３）が設けられ、前記左側面片（７）と前記右側面片（８）が、前記本体片（６）に接着された状態で保管され、前記後面（３）、前記前面（５）、前記左側面片（７）及び前記右側面片（８）を立て、前記上蓋面（２）と前記前掛け面（１）を前方側に折り曲げて箱体とすることを特徴とする。
【０００６】
前記左側面片（７）又は前記右側面片（８）に、ポケット（１５）が設けられることを特徴とする。
【０００７】
本考案による他の装身具収納箱は、一側から順に、後綴じ面（１６）と、後面（３）と、底面（４）と、前面（５）と、前綴じ面（１７）と、で構成され、各面間に折り目（９ａ〜９ｄ）が設けられた矩形板状の本体片（６）と、側部（２０）と糊代部（１１）と両端の角部（１０、１０）とからなり、各部の間に折り目（９ｆ、９ｆ、９ｇ）が設けられ、両端の角部の起点（１４、１４）から斜めに伸びる折り目（９ｅ、９ｅ）が設けられ、前記後面（３）に一方の角部（１０）の接着部（１０ａ）が接着され、前記前面（５）に他方の角部（１０）の接着部（１０ａ）が接着され、前記底面（４）に糊代部（１１）が折り返して接着される左側面片（７）と、側部（２０）と糊代部（１１）と両端の角部（１０、１０）とからなり、各部の間に折り目（９ｆ、９ｆ、９ｇ）が設けられ、両端の角部（１０、１０）の起点（１４、１４）から斜めに伸びる折り目（９ｅ、９ｅ）が設けられ、前記後面（３）に一方の角部（１０）の接着部（１０ａ）が接着され、前記前面（５）に他方の角部（１０）の接着部（１０ａ）が接着され、前記底面（４）に糊代部（１１）が折り返して接着される右側面片（８）と、前記後綴じ面（１６）と前記後面（３）の左右方向中央部に設けられ、前記後綴じ面（１６）と前記後面（３）を互いに吸着させる磁気部材（１２、１２）と、前記前綴じ面（１７）と前記前面（５）の左右方向中央部に設けられ、前記前綴じ面（１７）と前記前面（５）を互いに吸着させる磁気部材（１２、１２）と、が備えられ、前記左側面片（７）と前記右側面片（８）が、前記本体片（６）に接着された状態で保管され、前記後面（３）、前記前面（５）、前記左側面片（７）及び前記右側面片（８）を立てて、前記後綴じ面（１６）と前記後面（３）を前記磁気部材（１２、１２）で閉じ、前記前綴じ面（１７）と前記前面（５）を前記磁気部材（１２、１２）で閉じて蓋のない箱体が形成されることを特徴とする。
【考案の効果】
【０００８】
本考案による装身具収納箱によれば、
（ア）前掛け面（１）と、前面（５）に相互に吸引する磁気部材（１２、１２）を設けたので、蓋の開閉が軽いタッチでできる。凸片を差込口に挿入する場合に比較して、蓋の開閉が容易である。また、ホックと比較しても、ホックを留める力で側面がゆがんだり変形したりすることがない。
（イ）左側面片（７）と右側面片（８）は、本体片（６）とは別に切り出したので、一体になるように切り出す場合に比べて、素材の無駄になる部分が少ない。
（ウ）本体片（６）は板状矩形で、左側面片（７）と右側面片（８）を貼り付けた状態でも略平坦な矩形板状なので、保管箱への収納に無駄なスペースがない。収納時は、磁気部材が重ねた方向に引き合うので、跳ね上がりや膨らむことなく密に収納できる。
（エ）折り曲げて直ちに箱体にできるので、プレゼント収納箱として適す。
（オ）上蓋面（２）に透明な窓を設けたので、内部の装身具を、上蓋を開けずに見ることができる。
【０００９】
左側面片（７）又は右側面片（８）に、ポケットを設けたので、商品概要を示す簡易説明書や、メッセージカードを挿入できる。
【００１０】
本考案による他の装身具収納箱によれば、
（ア）後綴じ面（１６）と後面（３）に磁気部材（１２、１２）を設け、前綴じ面（１７）と前面（５）の裏面に磁気部材（１２、１２）を設けたので、蓋のない箱体への組み立てが簡単にできる。
（イ）左側面片（７）と右側面片（８）は、本体片（６）とは別に切り出したので、紙素材の無駄になる部分が少ない。
（ウ）本体片（６）は板状矩形で、左側面片（７）と右側面片（８）を貼り付けた状態でも略平坦な矩形板状なので、保管箱への収納に無駄なスペースがない。収納時は、磁気部材が重ねた方向に引き合うので、跳ね上がりや膨らむことなく密に収納できる。
（エ）蓋なしの収納箱は、箱内の装身具がよく観察できるので、窓では見えにくいブレスレットなどの収納に向いている。折り曲げて直ちに箱体にできるので、プレゼント収納箱として適す。
【図面の簡単な説明】
【００１１】
【図１】本考案による装身具収納箱の斜視図である。（実施例１）
【図２】図１の装身具収納箱の上蓋面２を閉じた斜視図である。
【図３】図１の装身具収納箱の組み立て前を示す平面図である。
【図４】図３の正面図である。
【図５】図３の左側面図である。
【図６】図２の左側面片で、（Ａ）は平面図、（Ｂ）は背面図である。
【図７】図２の右側面片で、（Ａ）は平面図、（Ｂ）は背面図である。
【図８】図３の分解斜視図である。
【図９】折り目の構造を示す説明図である。（Ａ）は折り曲げる前の図、（Ｂ）は直角に折り曲げた図である。
【図１０】本考案による装身具収納箱の斜視図である。（実施例２）
【図１１】図１０の装身具収納箱の斜視図である。
【図１２】図１０の装身具収納箱の組み立て前を示す平面図である。
【考案を実施するための形態】
【００１２】
以下、図面を参照して、本考案による装身具収納箱を詳しく説明する。
【実施例１】
【００１３】
図１は、本考案による装身具収納箱１００の斜視図である。上蓋面２を開けた状態で示す。装身具収納箱１００は、プラスチック又は紙の素材からなる。素材の厚さは１〜３ｍｍとすることができる。箱の寸法は、これに限られるものではないが、高さが約３ｃｍ、横幅が約１０ｃｍ、奥行きが約１０ｃｍで、上から見た場合は正方形である。ブレスレットなどはこれより高さを低くする。上蓋面２の前側に前掛け面１が設けられ、上蓋面２を閉じると、前掛け面１が前面５を覆う。前掛け面１と前面５には、相互に吸引する磁気部材１２が備えられる。磁気部材１２は一方が磁石で、他方を薄い金属板にすることもできる。磁石部材１２は、円形で厚紙を貫通する磁力を有するものが好ましい。磁石部材１２は、前掛け面１の裏側と前面５の裏側に装着する。
【００１４】
図２は、図１の装身具収納箱１００の上蓋面２を閉じた斜視図である。磁気部材１２を使用したので、上蓋面２を軽いタッチで閉じ、前掛け面１と前面５の間には隙間ができない。上蓋面２には、透明な窓１３を設けたので、内部の装身具を、上蓋面を開けずに見ることができる。透明な窓は、プラスチック透明シートを使用できる。窓の形状は例としてハートマーク形状とした。ハートマーク形状は感謝を表している。左側面片７にポケット１５を設けたので、商品概要を示す簡易説明書や、送り先へのメッセージカードを挿入することができる。ポケット１５は、左側面片７に限らず右側面片８に設けてもよい。
【００１５】
図３は、図１の装身具収納箱１００の組み立て前を示す平面図である。本体片６は、一側から順に、前掛け面１と、上蓋面２と、後面３と、底面４と、前面５と、で構成される。本体片６は、１つの切り出し片で、各面の間には、折り目９ａ〜９ｄが設けられている。左右の左側面片７と右側面片８は、本体片６とは別の切り出し片である。左側面片７は、前後方向の両端に矩形の角部１０、１０が設けられ、箱体時の左前角部と左後角部にあたる。右側面片７は、前後方向の両端に矩形の角部１０、１０が設けられ、箱体時の右前角部と右後角部にあたる。角部１０、１０は箱体の高さを有する。左側面片７と右側面片８の裏側の一部分が、前面５と後面３と底面４に接着される。太い矢印で示すように、左側面片７と右側面片８を立てて、箱体に組み立てる。符号１４は、角部１０の起点を示す。角部１０は、図１に示すように上蓋面２を開くと、開口部が少し開いた形になる。そのため、装身具収納箱１００の中の装身具を取り出しやすい。
【００１６】
図４は、図３の正面図である。図５は、図３の左側面図である。箱体とした装身具収納箱１００は、側面から見て厚紙２３が３枚程度の厚さである。そのためかさばらず重ねて保管できる。平面視で全体が矩形板状なので、箱に密に収納できて保管スペースも小さい。図５の引き出し円に示すように、素材に厚紙２３を使用し、周囲を化粧紙２２で覆うことで、装身具収納箱１００に高級感を出せる。
【００１７】
図６は、図３の左側面片７で、（Ａ）は平面図、（Ｂ）は背面図である。図６（Ａ）に示すように、左側面片７は、側部２０と両端の角部１０と糊代部１１からなる。糊代部１１の網掛け部分に接着剤が塗布され、折り返して底面４に接着される。角部１０は起点１４から斜めに伸びる折り目９ｅによって、接着部１０ａと、立ち上がり部１０ｂの２つの領域に分けられる。図６（Ｂ）に示すように、一方（上側）の角部１０の接着部１０ａが後面３に、他方（下側）の接着部１０ａが前面５に接着される。図６（Ａ）に示すように、角部１０と側部（２０）の間には折り目９ｆが設けられる。後面３と側部２０を立てると、角部１０の接着部１０ａが、折り目９ｅを「谷」として、立ち上がり部１０ｂに重なる。折り目９ｆは「山」となって起き上がる。
【００１８】
図７は、図３の右側面片８で、（Ａ）は平面図、（Ｂ）は背面図である。右側面片８は、側部２０と両端の角部１０と糊代部１１からなる。右側面片８は、左側面片７を表裏反転したものであり同じ部材が使用できる。右側面片８は、図７（Ａ）に示すように、糊代部１１の網掛け部分に接着剤が塗布される。角部１０は角部の起点１４から斜めに伸びる折り目９ｅによって、接着部１０ａと、立ち上がり部１０ｂの２つの領域に分けられる。図７（Ｂ）に示すように、一方（上側）の角部１０の接着部１０ａが後面３に、他方（下側）の接着部１０ａが前面５に接着される。角部１０には折り目９ｆが設けられる。後面３と側部２０を立てると、角部１０の接着部１０ａが、折り目９ｅを「谷」として、立ち上がり部１０ｂに重なる。折り目９ｆは「山」となって起き上がる。
【００１９】
図８は、図３の分解斜視図である。本体片６は、前掛け面１、上蓋面２、後面３、底面４、前面５からなり、各面の間には、折り目９ａ〜９ｄが設けられる。本体片６の両側に、左側面片７と右側面片８が接着される。左側面片７と右側面片８を立てて、上蓋面２を正面側に折り曲げることで、箱体にできる。
【００２０】
図９は、折り目の構造を示す説明図である。（Ａ）は折り曲げる前の図、（Ｂ）は直角に折り曲げた図である。折り目は例として符号９ｂの部分を示す。折り目は曲げやすいように厚さを薄くし湾曲させている。上蓋面２を何度も開閉すると、折り目で切れることにもなるので、補強シート２１で補強している。
【実施例２】
【００２１】
図１０は、本考案による装身具収納箱２００（実施例２）の斜視図である。後綴じ面１６と前綴じ面１７が開いた状態で示す。装身具収納箱２００には上蓋がなく、装身具収納箱２００は、上蓋がない状態で使用する。
【００２２】
図１１は、図１０の装身具収納箱２００の斜視図である。後綴じ面１６と前綴じ面１７は閉じた状態で示す。図１１に示すように、上蓋のない箱体が形成される。後綴じ面１６と後面３に磁気部材１２、１２を設けたので、吸着によって、後綴じ面１６を簡単に閉じることができる。また、前綴じ面１７と前面５に磁気部材１２、１２を設けたので、前綴じ面１７を簡単に閉じることができる。後綴じ面１６と後面３との間、及び前綴じ面１７と前面５の間には、折り目を２本設けたので、閉じた時、折り目の上部が平坦にできる。装身具収納箱２００は、高さがない場合に適しており、側面にポケット１５は設けていない。
【００２３】
図１２は、図１０の装身具収納箱２００の組み立て前を示す平面図である。本体片６は、一側から順に、後綴じ面１６と、後面３と、底面４と、前面５と、前綴じ面１７と、で構成される。本体片６は、１つの片で、各面の間には、折り目９ａ〜９ｄが設けられている。本体片６の形状は矩形板状である。左右の左側面片７と右側面片８は、本体片６とは別の切り出し片である。左側面片７は、図６に示す実施例１の左側面片７と同じである。左側面片７は、前後両側の角部１０、１０と側部２０と糊代部１１とからなる。各部の間に折り目９ｆ、９ｆ、９ｇが設けられ、角部の起点１４、１４から斜めに伸びる折り目９ｅ、９ｅが設けられ、後面３に一方の角部１０の斜め半分が接着され、前面５に他方の角部１０の斜め半分が接着され、底面４に糊代部１１が接着される。右側面片８は、図７に示す実施例１の右側面片８と同じであるので、説明は省略する。
【産業上の利用可能性】
【００２４】
本考案は、装身具用の装身具収納箱として好適である。
【符号の説明】
【００２５】
１    前掛け面
２    上蓋面
３    後面
４    底面
５    前面
６    本体片
７    左側面片
８    右側面片
９    折り目
９ａ〜９ｇ    折り目
１０    角部
１０ａ    接着部
１０ｂ    立ち上がり部
１１    糊代部
１２    磁気部材
１３    窓
１４    角部の起点
１５    ポケット
１６    後綴じ面
１７    前綴じ面
２０    側部
２１    補強シート
２２    化粧紙
２３    厚紙
１００、２００    装身具収納箱
【図１】
0003214493.tif 000003
【図２】
0003214493.tif 000004
【図３】
0003214493.tif 000005
【図４】
0003214493.tif 000006
【図５】
0003214493.tif 000007
【図６】
0003214493.tif 000008
【図７】
0003214493.tif 000009
【図８】
0003214493.tif 000010
【図９】
0003214493.tif 000011
【図１０】
0003214493.tif 000012
【図１１】
0003214493.tif 000013
【図１２】
0003214493.tif 000014